(57)【要約】【課題】効果的に避難或いは誘導を行えるようにすること。【解決手段】実施形態の照明装置は、非常用の照明装置（非常灯）、若しくは、誘導用の照明装置（誘導灯）である。実施形態の照明装置は、発光状態を変化させることが可能な光源と、光源の発光状態を制御する発光制御部と、を具備している。発光制御部は、センサからの信号を取得可能に構成されている。発光制御部は、センサからの信号に基づいて、光源の発光状態を変化させる。【選択図】図１
2018163866.tif 000002
【特許請求の範囲】
【請求項１】
非常用若しくは誘導用の照明装置であって、
光源と；
センサからの信号に基づいて前記光源の発光状態を変化させる発光制御部と；
を具備することを特徴とする照明装置。
【請求項２】
前記センサは人を検知するためのセンサであり、
前記発光制御部は、前記センサからの信号に基づいて前記照明装置の周辺にいる人を検知し、検知した人の数に基づいて前記光源の光の強度を変化させる、
ことを特徴とする請求項１に記載の照明装置。
【請求項３】
前記センサは、通信端末から発せられるビーコン信号を検知するビーコンセンサである、
ことを特徴とする請求項２に記載の照明装置。
【請求項４】
前記センサは照明装置が設置された空間の広さを検知するためのセンサであり、
前記発光制御部は、前記センサからの信号に基づいて空間の広さを検知し、検知した広さに基づいて前記光源の光の強度を変化させる、
ことを特徴とする請求項１に記載の照明装置。
【請求項５】
電池をさらに具備し、
前記センサは前記電池の蓄電状態を検知するためのセンサであり、
前記発光制御部は、前記センサからの信号に基づいて前記電池の蓄電状態を検知し、検知した蓄電状態に基づいて前記光源の光の強度を変化させる、
ことを特徴とする請求項１に記載の照明装置。
【請求項６】
電池をさらに具備し、
前記センサは前記電池の蓄電状態を検知するためのセンサであり、
前記発光制御部は、前記センサからの信号に基づいて前記電池の蓄電状態を検知し、検知した蓄電状態に基づいて前記光源の発光色を変化させる、
ことを特徴とする請求項１に記載の照明装置。
【請求項７】
電池をさらに具備し、
前記発光制御部は、前記光源を発光させる電源が外部電源から前記電池となった後、予め設定された時間、一定の強さで光源を発光させ、その後、前記センサからの信号に基づいて前記光源の発光状態を変化させる、
ことを特徴とする請求項１に記載の照明装置。
【請求項８】
非常用若しくは誘導用の照明装置であって、
第１の光源と、
第２の光源と、
前記第１の光源を一定の強度で発光させるとともに、前記第２の光源の発光状態を変化させる発光制御部と、
を具備することを特徴とする照明装置。
【請求項９】
前記発光制御部は、前記第２の光源を点滅させる、
ことを特徴とする請求項８に記載の照明装置。
【請求項１０】
非常用若しくは誘導用の照明装置に着脱可能なモジュールであって、
センサと；
前記センサからの信号に基づいて前記照明装置が備える光源の発光状態を変化させる発光制御部と；
を具備することを特徴とするモジュール。
【発明の詳細な説明】
【技術分野】
【０００１】
本発明の実施形態は、照明装置、及びモジュールに関する。
【背景技術】
【０００２】
従来、非常時に非常用電源を用いて点灯する非常用の照明装置（以下、非常灯ともいう。）や避難経路等への誘導のために点灯する誘導用の照明装置（以下、誘導灯ともいう。）が提供されている。
【先行技術文献】
【特許文献】
【０００３】
【特許文献１】特開２００４−１８５９７８号公報
【発明の概要】
【発明が解決しようとする課題】
【０００４】
非常灯や誘導灯は、停電、地震等の発生時にユーザの助けとなるものである。しかしながら、従来の非常灯及び誘導灯は、一定の照明態様で照明を行うに過ぎず、効果的に避難或いは誘導を行えるとは言い難い場合がある。
【０００５】
本発明が解決しようとする課題は、効果的に避難或いは誘導を行えるようにすることである。
【課題を解決するための手段】
【０００６】
本実施形態に係る照明装置は、非常用若しくは誘導用の照明装置である。照明装置は、光源と、センサからの信号に基づいて光源の発光状態を変化させる発光制御部と、を具備する。
【発明の効果】
【０００７】
本発明によれば、効果的に避難或いは誘導を行うことができる。
【図面の簡単な説明】
【０００８】
【図１】図１は、実施形態に係る照明装置の斜視図である。
【図２】図２は、実施形態に係る照明装置の底面図である。
【図３】図３は、図２に示す照明装置から蓋を取り除いた図である。
【図４】図４は、蓋の底面図である。
【図５】図５は、図２に示すＡ−Ａ線断面図である。
【図６】図６は、接続端子にモジュールを接続した様子を示す図である。
【図７】図７は、実施形態に係る照明装置の構成例を示す図である。
【図８】図８は、制御部の機能ブロック図である。
【図９】図９は、実施形態に係るモジュールの構成例を示す図である。
【図１０】図１０は、発光制御処理のフローチャートである。
【図１１】図１１は、非常用或いは誘導用の光源を２つ備える照明装置の底面図である。
【発明を実施するための形態】
【０００９】
以下で説明する実施形態に係る照明装置１０は、非常用若しくは誘導用の照明装置である。照明装置１０は、光源１３と、センサ２２或いはセンサ１５１ａからの信号に基づいて光源１３の発光状態を変化させる発光制御部１５２ａと、を具備する。
【００１０】
また、以下で説明する実施形態に係るセンサ２２は人を検知するためのセンサである。発光制御部１５２ａは、センサ２２からの信号に基づいて照明装置１０の周辺にいる人を検知し、検知した人の数に基づいて光源１３の光の強度を変化させる。
【００１１】
また、以下で説明する実施形態に係るセンサ２２は、通信端末から発せられるビーコンを検知するビーコンセンサである。
【００１２】
また、以下で説明する実施形態に係るセンサ２２は、照明装置１０が設置された空間の広さを検知するためのセンサである。実施形態に係る発光制御部１５２ａは、センサ２２からの信号に基づいて空間の広さを検知し、検知した広さに基づいて光源１３の光の強度を変化させる。
【００１３】
また、以下で説明する実施形態に係る照明装置１０は、電池１４をさらに具備する。実施形態に係るセンサ１５１ａは電池１４の蓄電状態を検知するためのセンサである。実施形態に係る発光制御部１５２ａは、センサ１５１ａからの信号に基づいて電池１４の蓄電状態を検知し、検知した蓄電状態に基づいて光源１３の光の強度を変化させる。
【００１４】
また、以下で説明する実施形態に係る照明装置１０は、電池１４をさらに具備する。実施形態に係るセンサ１５１ａは電池１４の蓄電状態を検知するためのセンサである。実施形態に係る発光制御部１５２ａは、センサ１５１ａからの信号に基づいて電池１４の蓄電状態を検知し、検知した蓄電状態に基づいて光源１３の発光色を変化させる。
【００１５】
また、以下で説明する実施形態に係る照明装置１０は、電池１４をさらに具備する。実施形態に係る発光制御部１５２ａは、光源１３を発光させる電源が外部電源２から電池１４となった後、予め設定された時間、一定の強さで光源１３を発光させ、その後、センサ２２或いはセンサ１５１ａからの信号に基づいて光源１３の発光状態を変化させる。
【００１６】
また、以下で説明する実施形態に係る照明装置１０は、非常用若しくは誘導用の照明装置である。照明装置１０は、光源１３（第１の光源）と、光源１８（第２の光源）と、を備える。実施形態に係る発光制御部１５２ａは、光源１３を一定の強度で発光させるとともに、光源１８の発光状態を変化させる。
【００１７】
また、以下で説明する実施形態に係る発光制御部１５２ａは、光源１８（第２の光源）を点滅させる。
【００１８】
また、以下で説明する実施形態に係るモジュール２０は、非常用若しくは誘導用の照明装置１０に着脱可能なモジュールである。モジュール２０は、センサ２２と、センサ２２からの信号に基づいて照明装置１０が備える光源１３の発光状態を変化させる発光制御部１５２ａと、を具備する。
【００１９】
以下、図面を参照して、実施形態に係る照明装置を説明する。実施形態において同一の部位には同一の符号を付し、重複する説明は省略される。
【００２０】
［実施形態］
［照明装置の構造］
最初に照明装置１０の構造を説明する。図１は、実施形態に係る照明装置１０の斜視図である。照明装置１０は、非常用の照明装置である。非常用の照明装置（非常灯）は、外部電源からの電力供給が停止した場合（非常時）に点灯する照明装置である。なお、非常灯は、外部電源から電力供給がなされている場合（通常時）にも点灯してもよい。
【００２１】
照明装置１０は、壁或いは天井に埋め込まれる埋め込み式の照明装置である。本実施形態の照明装置１０は、天井板に開けられた穴に埋め込まれて使用される。照明装置１０は、取付けばね１７１、１７２を有しており、これらばねの押圧力により天井に固定される。なお、図示した照明装置１０はあくまで一例である。照明装置１０は必ずしも埋め込み式の照明装置でなくてもよい。例えば、照明装置１０は吊り下げ式の照明装置であってもよい。
【００２２】
図２は、実施形態に係る照明装置１０の底面図である。なお、以下の説明には、Ｘ軸、Ｙ軸、及びＺ軸から構成される直交座標系を用いる。図中、矢印の指し示す方向がプラス方向である。本実施形態の場合、Ｘ軸、Ｙ軸は水平方向に軸方向を有しており、Ｚ軸は鉛直線の方向に軸方向を有している。Ｘ軸の軸方向は、図２に示すＡ−Ａ線と平行な方向となっている。なお、以下の説明で示されるＸ軸方向、Ｙ軸方向、及びＺ軸方向は、照明装置１０の発光方向が下方向であることを前提としたものである。照明装置１０の設置形態にあわせ、Ｘ軸方向、Ｙ軸方向、及びＺ軸方向は適宜読み替える。例えば、発光方向が水平方向なのであれば、Ｚ軸方向も水平方向である。
【００２３】
照明装置１０は、図２に示すように、接続部１１と、光源１３と、を備える。図３は、図２に示す照明装置１０から蓋１６を取り除いた図である。照明装置１０は、上記構成に加えて、筐体１２と、電池１４と、点灯ユニット１５と、を備える。照明装置１０は、モジュール２０が後付可能となっている。モジュール２０も照明装置１０の一部とみなすことが可能である。勿論、照明装置１０のモジュール２０を除いた部分を照明装置１０とみなしてもよい。
【００２４】
接続部１１は、照明装置１０を動作させる各種ケーブルを接続用の端子が配置された端子台である。接続部１１は、筐体１２からＺ軸方向と垂直な方向（本実施形態の場合、水平方向）に突出した状態となっている。
【００２５】
筐体１２は、一方の底面が開口した有底の筒状体である。図の例では、筐体１２の形状は円筒形となっているが、筐体１２の形状は円筒形に限定されない。例えば、筐体１２の形状は、角筒形であってもよいし、半球形であってもよい。筐体１２は、硬質素材で形成されている。例えば、筐体１２は、鉄、アルミ等の金属、若しくは、硬質塩化ビニル等の硬質樹脂で形成されている。筐体１２は、照明装置１０の設置時に天井に埋め込まれてユーザから見えなくなる部分である。筐体１２の開口部分の周縁にはフランジが設けられている。照明装置１０の設置時、このフランジが、天井板（天井板に開けられた穴の外周部分）に引っかかり、照明装置１０が天井裏に完全に埋没してしまうのを防止する。筐体１２は、光源１３が光を発する方向（以下、発光方向という。）に向けて開口している。本実施形態の照明装置１０は天井から下方向に向けて光を発するので、発光方向は下方向（Ｚ軸マイナス方向）である。筐体１２の開口は、蓋１６で覆われている。
【００２６】
図４は、蓋１６の底面図である。蓋１６は、板状の化粧枠である。蓋１６は、照明装置１０の設置時に天井から露出する部分である。蓋１６は、筐体１２を覆い隠すように、筐体１２の底部より一回り大きい。なお、図４の例では、蓋１６の形状は円盤形となっているが、蓋１６の形状は円盤形に限定されない。例えば、蓋１６の形状は、楕円形であってもよいし、多角形（例えば、三角形、四角形、六角形）であってもよい。蓋１６は、硬質素材で形成されている。例えば、蓋１６は、鉄、アルミ等の金属、若しくは、硬質塩化ビニル等の硬質樹脂で形成されている。
【００２７】
蓋１６には、貫通孔１６１〜１６３の３つの貫通孔が形成されている。貫通孔１６１は、光源１３用の窓である。貫通孔１６１は、蓋１６の中央に設けられている。貫通孔１６２は、モジュール２０挿入用の窓である。貫通孔１６２は、蓋１６を筐体１２に設置したときに、後述の接続端子１５６と対向する位置に設けられている。また、貫通孔１６３は、ユーザが照明装置１０の操作に使用する窓である。貫通孔１６３は、蓋１６を筐体１２に設置したときに、後述の操作部１５４及び後述の出力部１５５（ランプ１５５ａ、１５５ｂ）と対向する位置に設けられている。なお、貫通孔１６２については、後に詳述する。
【００２８】
図５は、図２に示すＡ−Ａ線断面図である。図５に示す照明装置１０は、モジュール２０が取り外された状態となっている。また、図５では、取付けばね１７２の図示は省略している。筐体１２の内部には、電池１４と点灯ユニット１５が格納されている。電池１４と点灯ユニット１５は、照明装置１０を構成する部品（ＡＳＳＹ）である。点灯ユニット１５の発光方向側（Ｚ軸マイナス方向側）の面には、光源１３が配置されている。図５の例では、光源１３は、筐体１２の開口の略中央に配置された反射板１３１の中央に位置している。光源１３は、例えば、ＬＥＤ（Light  Emitting  Diode）である。
【００２９】
蓋１６には、光源１３の位置に合わせて円形の貫通孔１６１が形成されている。本実施形態の場合、光源１３は、貫通孔１６１から下方向に向けて光を発する。光源１３の照射角Ｒ１は例えば６０度である。照射角Ｒ１は、ビーム角（例えば、１/２ビーム角）であってもよいし、配光角（例えば、１/２配光角）であってもよい。もちろん、光源１３の照射角Ｒ１は６０度に限定されない。光源１３の照射角Ｒ１は、例えば、１０〜１８０度の範囲の角度であってもよい。
【００３０】
電池１４は、リチウムイオン電池等の二次電池である。本実施形態の電池１４は、筐体１２の内部に着脱可能な電池モジュールである。電池１４は、図３に示すように、筐体１２の内部を発光方向と垂直な方向（本実施形態の場合、水平方向）に略２分割した一方の領域に配置されている。なお、空間を水平方向に２分割とは、空間を水平方向に２つ並んだ状態とすることをいう。ユーザは、筐体１２から点灯ユニット１５を取り外すことなく、筐体１２の開口から電池１４を抜き差しすることが可能である。
【００３１】
点灯ユニット１５は、光源１３の点灯動作及び電池１４への充放電動作を行う電源装置である。点灯ユニット１５は、外部電源及び電池１４に接続され、光源１３の点灯動作及び電池１４に対する充放電動作を行う。電池１４は、点灯ユニット１５によって充電される。点灯ユニット１５は、図３に示すように、筐体１２の内部を発光方向と垂直な方向（本実施形態の場合、水平方向）に略２分割した一方の領域（電池１４が配置された領域の他方の領域）に配置されている。点灯ユニット１５の発光方向側（本実施形態の場合、Ｚ軸マイナス方向側）の面には、図３に示すように、操作部１５４と、出力部１５５と、接続端子１５６と、が配置されている。
【００３２】
操作部１５４は、ユーザが照明装置１０を操作するためのスイッチである。操作部１５４は、ボタンスイッチであってもよいし、ロッカースイッチであってもよいし、トグルスイッチであってもよい。スイッチの種類は任意である。前述したように、蓋１６の操作部１５４に対向する位置には、貫通孔１６１が形成されている。そのため、ユーザは、照明装置１０から蓋１６を取り外すことなく、操作部１５４にアクセス可能である。
【００３３】
出力部１５５は、ユーザが照明装置１０の状態をモニタするための出力装置である。出力部１５５は、ランプ１５５ａと、ランプ１５５ｂと、を備える。ランプ１５５ａ、１５５ｂは、例えば、ＬＥＤランプである。前述したように、蓋１６のランプ１５５ａ、１５５ｂに対向する位置には、貫通孔１６３が形成されている。ユーザは貫通孔１６３を通してランプ１５５ａ、１５５ｂの発光状態を観察可能である。
【００３４】
接続端子１５６は、モジュール２０を照明装置１０に接続するための外部機器接続用のコネクタである。接続端子１５６は、点灯ユニット１５の蓋１６と対向する側（発光方向側）の面に配置されている。接続端子１５６は、例えば、ＵＳＢ（Universal  Serial  Bus）端子である。接続端子１５６の発光方向側の端面は、蓋１６の内側（Ｚ軸プラス方向側）、或いは、蓋１６の発光方向側の面の延長上に位置している。そのため、接続端子１５６は、照明装置１０をＸ軸、Ｙ軸方向（本実施形態の場合、水平方向）から見て、蓋１６から突出しておらず、照明装置１０の内部に隠れた状態となっている。
【００３５】
蓋１６の接続端子１５６に対向する位置には、図４に示すように、貫通孔１６２が形成されている。貫通孔１６２により、モジュール２０は蓋１６の外から接続端子１５６に挿入可能である。貫通孔１６２の形状は、円形、楕円形、或いは、多角形（例えば、四角形）である。勿論、貫通孔１６２の形状は、これら以外の形状であってもよい。本実施形態の場合、貫通孔１６２は四角形となっている。
【００３６】
貫通孔１６２は、照明装置１０を発光方向（Ｚ軸マイナス方向）から見たときに、接続端子１５６が収まる位置と大きさとなっている。照明装置１０を発光方向側から見たときの貫通孔１６２の図面縦方向の幅ｗ３は、接続端子１５６の縦方向の幅ｗ１より大きい。また、貫通孔１６２の図面横方向の幅ｗ４は、接続端子１５６の横方向の幅ｗ２より大きい。ユーザがモジュール２０を無理なく挿抜できるように、接続端子１５６の外縁と貫通孔１６２の縁の間には、発光方向から見て、予め設定された大きさの隙間ｍ１〜ｍ４が形成されている。隙間ｍ１、ｍ２は、接続端子１５６の図面上下に形成された隙間であり、隙間ｍ３、ｍ４は、接続端子１５６の図面左右に形成された隙間である。隙間ｍ１〜ｍ４は、それぞれ、１ｍｍ〜１０ｍｍの範囲の幅である。勿論、隙間ｍ１〜ｍ４は、この幅より大きくてもよいし、小さくてもよい。
【００３７】
モジュール２０は、赤外センサ（人感センサ）等の照明装置１０の周囲の状態を検知するセンサモジュールである。モジュール２０は、無線ＬＡＮ（Local Area Network）、Ｂｌｕｅｔｏｏｔｈ（登録商標）等の無線通信規格に従って外部の装置と通信する通信モジュールであってもよい。モジュール２０は、ドングルと呼ばれる小型モジュールであってもよい。モジュール２０は、接続端子１５６に接続されて使用される。図６は、接続端子１５６にモジュール２０を接続した様子を示す図である。モジュール２０は、蓋１６の外側（発光方向側）から貫通孔１６２を通って接続端子１５６に挿入される。モジュール２０の形状は略長方形である。モジュール２０の挿入方向（Ｚ軸方向）の長さＬは、照明装置１０の製造者或いは規格等により予め定められた長さとなっている。例えば、長さＬは、１ｃｍ〜１０ｃｍである。モジュール２０は、接続端子１５６に接続されたときに、その一部が蓋１６の外側（Ｚ軸マイナス方向側）に突出した状態となる。一部が突出しているので、ユーザは、モジュール２０を接続端子１５６から抜く際に、モジュール２０を容易に掴むことができる。
【００３８】
接続端子１５６は、光源１３から離間ｄほど離間した位置に配置されている。距離ｄは、モジュール２０の長さＬが、製造者或いは規格等によって許容される最大の長さのときに、モジュール２０の突出部分が光源１３の照射角Ｒ１の外側Ｒ２に位置するよう、定められる。これにより、モジュール２０が照射角Ｒ１の範囲内に入ることがなくなるので、モジュール２０によって、光源１３の光が大きく遮られることはない。照明装置１０は、モジュール２０が装着されたとしても、照射面にモジュール２０の影が大きく生じるのを防ぐことができる。
【００３９】
［照明装置の構成］
次に、ブロック図を参照しながら照明装置１０の構成を説明する。図７は、実施形態に係る照明装置１０の構成例を示す図である。照明装置１０は、外部電源２からの電力供給を受けて動作する。外部電源２は、例えば、商用の系統電源である。外部電源２は、建物或いは敷地内に配置された発電機或いは変圧器であってもよい。上述したように、照明装置１０は、接続部１１と、光源１３と、電池１４と、点灯ユニット１５と、モジュール２０と、を備える。
【００４０】
接続部１１は、各種ケーブルを接続するための端子が配置された端子台である。接続部１１には、電源ケーブルを接続するための電源端子が配置されている。接続部１１は、照明装置１０の内部の回路と接続されている。接続部１１は、電源ケーブルを介して外部電源２から電力を受給し、照明装置１０の点灯ユニット１５に供給する。
【００４１】
光源１３は、非常用或いは誘導用の光源である。光源１３は、例えば、ＬＥＤ（Light  Emitting  Diode）である。光源１３は、発熱電球、蛍光灯、ハロゲンランプ等、ＬＥＤ以外の光源であってもよい。
【００４２】
電池１４は、鉛蓄電池、ニッケルカドミウム蓄電池、ニッケル水素電池、リチウムイオン電池等の二次電池である。電池１４は、照明装置１０の非常用電源である。外部電源２からの電力供給が停止した場合（すなわち、非常時）には、電池１４は、点灯ユニット１５に対して電力供給を行う。また、外部電源からの電力供給がある場合（すなわち、通常時）には、電池１４は、点灯ユニット１５によって充電される。
【００４３】
点灯ユニット１５は、光源１３の点灯動作及び電池１４への充放電動作を行う電源装置である。点灯ユニット１５は、電源回路１５１と、制御部１５２と、記憶部１５３と、操作部１５４と、出力部１５５と、接続端子１５６と、を備える。
【００４４】
電源回路１５１は、切替回路、ＡＣ−ＤＣコンバータ等により構成される。切替回路は、光源１３へ供給される電力の電力源を外部電源２と電池１４のいずれかに切り替える。ＡＣ−ＤＣコンバータは、外部電源２から供給される交流電力を直流電力に変換する。外部電源２が直流電源なのであれば、電源回路１５１は、ＡＣ−ＤＣコンバータの替りにＤＣ−ＤＣコンバータを有していてもよい。電源回路１５１は、制御部１５２の制御に基づき動作する。電源回路１５１は、内部にセンサ１５１ａを有している。センサ１５１ａは、電池１４の蓄電状態を検知するセンサである。或いは、センサ１５１ａは、光源１３に流れた電流量を検知するセンサである。センサ１５１ａは、電圧計であってもよいし、電流計であってもよい。センサ１５１ａは、電池１４の蓄電状態、或いは、光源１３の発光状態を検知して制御部１５２に通知する。
【００４５】
制御部１５２は、照明装置１０の各部を制御するコントローラである。制御部１５２は、ＣＰＵ（Central  Processing  Unit）、ＭＰＵ（Micro  Processing  Unit）等のプロセッサであってもよいし、ＦＰＧＡ（Field  Programmable  Gate  Array）、ＡＳＩＣ（Application  Specific  Integrated  Circuit）等の集積回路であってもよい。制御部１５２は、１つの素子で構成されていてもよいし、複数の素子で構成されていてもよい。例えば、制御部１５２は、１つのプロセッサで構成されていてもよいし、複数のプロセッサで構成されていてもよい。制御部１５２が複数の素子で構成される場合、これら複数の素子は、照明装置１０内の離れた場所に配置されていてもよい。例えば、複数の素子が別々の基板に実装されていてもよい。
【００４６】
制御部１５２は、制御部１５２内もしくは制御部１５２外のＲＯＭ（Read  Only  Memory）或いはＲＡＭ（Random  Access  Memory）に格納されているプログラムに従って動作することで、後述の「履歴記録処理」「履歴送信処理」を含む種々の動作を実現する。なお、プログラムという概念には、ＯＳ（Operating  System）やアプリケーションプログラムのみならず、マイクロプログラムも含まれる。
【００４７】
図８は、制御部１５２の機能ブロック図である。制御部１５２は、発光制御部１５２ａを備える。発光制御部１５２ａは、制御部１５２の機能を示す機能ブロックである。発光制御部１５２ａはソフトウェアブロックであってもよいし、ハードウェアブロックであってもよい。例えば、発光制御部１５２ａは、ソフトウェア（マイクロプログラムを含む。）で実現される１つのソフトウェアモジュールであってもよいし、半導体チップ（ダイ）上の１つの回路ブロックであってもよい。勿論、発光制御部１５２ａが１つのプロセッサ或いは１つの集積回路であってもよい。発光制御部１５２ａの構成方法は任意である。
【００４８】
発光制御部１５２ａは、センサ１５１ａ或いは後述のセンサ２２からの信号に基づいて光源１３の発光状態を変化させる。発光制御部１５２ａは、例えば、電源回路１５１を制御することにより光源１３の発光状態を変化させる。電源回路１５１がスイッチング電源なのであれば、電源回路１５１が備えるスイッチング素子を制御することにより光源１３の発光状態を変化させる。発光制御部１５２ａの動作は、後述の「発光制御処理」の説明の箇所で詳しく述べる。
【００４９】
図７に戻り、記憶部１５３は、ＤＲＡＭ（Dynamic  Random  Access  Memory）、ＳＲＡＭ（Static  Random  Access  Memory）、フラッシュメモリ等の記憶装置である。記憶部１５３には、制御部１５２を動作させるプログラム等が格納されている。記憶部１５３には、照明装置１０の動作の履歴（ログ）が記録されていてもよい。
【００５０】
操作部１５４は、ユーザが照明装置１０を操作するためのスイッチである。例えば、操作部１５４は、ユーザが照明装置１０を点検する際に使用する点検スイッチである。ユーザが操作部１５４を操作すると（例えば、スイッチをＯＮにすると）、制御部１５２は照明装置１０の点検動作を行う。点検動作は、照明装置１０が非常時にも正常に動作するか否かを試験する動作である。より具体的には、点検動作は、外部電源２からの電力供給が遮断された場合にも、照明装置１０が法令、規格等で定められた規定の時間（例えば、３０分間）、既定の照度で点灯し続けることができるか否かを試験する動作である。以下の説明では、この点検動作のことを「試験」ともいう。制御部１５２は、操作部１５４が操作されると、光源１３の電源を外部電源２から電池１４に切り替えるとともに、電池１４の蓄電量或いは光源１３に供給される電流量を、内部のセンサ等を使ってモニタする。制御部１５２は、点検動作（試験）を予め設定された時間、継続する。設定された時間が経過したら、制御部１５２は、点検結果（試験結果）を、出力部１５５に出力する。
【００５１】
出力部１５５は、ＬＥＤランプ等の発光装置、或いは、スピーカー、ブザー等の音響発生装置である。出力部１５５は、ランプ１５５ａと、ランプ１５５ｂと、を備える。ランプ１５５ａは、電池１４の状態をモニタするための充電モニタ用のランプである。ランプ１５５ｂは、光源１３の状態をモニタするためのランプモニタ用のランプである。点灯ユニット１５の制御部１５２は、電池１４の充電量等に応じてランプ１５５ａを点灯、消灯、或いは点滅させる。また、制御部１５２は、光源１３の接続状態（例えば、ＬＥＤが断線等により通電できない状態なっていないか否か）に応じてランプ１５５ｂを点灯、消灯、或いは点滅させる。なお、ランプ１５５ａ、１５５ｂは、照明装置１０が点検動作中には、照明装置１０の現在の動作状態、或いは点検動作の結果等を出力するためのランプとしても機能する。
【００５２】
接続端子１５６は、外部機器接続用のコネクタである。接続端子１５６は、例えば、ＵＳＢ端子、ＩＥＥＥ（The  Institute  of  Electrical  and  Electronic  Engineers）１３９４端子、或いはＬｉｇｈｔｎｉｎｇ（登録商標）端子である。勿論、接続端子１５６は、これら以外のコネクタであってもよい。例えば、接続端子１５６は、照明装置１０の製造者が独自に定めた独自規格のコネクタであってもよいし、上記以外の規格のコネクタであってもよい。接続端子１５６は、点灯ユニット１５の制御部１５２と直接的或いは間接的に接続されている。接続端子１５６にモジュール２０が接続された場合には、接続端子１５６は、モジュール２０と制御部１５２とを通信可能な状態とする。なお、接続端子１５６は、外部電源２或いは電池１４からの電力をモジュール２０に供給できるよう構成されていてもよい。
【００５３】
モジュール２０は、照明装置１０の周囲の状態を検知するセンサモジュールである。モジュール２０は、照明装置１０にセンサ機能を提供する。例えば、モジュール２０は、照明装置１０に赤外センサ（人感センサ）機能を提供する。なお、モジュール２０は、無線通信機能を有していてもよい。この場合には、モジュール２０は、無線通信モジュールと言い換えることができる。図９は、実施形態に係るモジュール２０の構成例を示す図である。モジュール２０は、通信部２１と、センサ２２と、制御部２３と、記憶部２４と、接続端子２５と、を備える。
【００５４】
通信部２１は、外部の装置と無線通信する無線通信インタフェースである。通信部２１は、無線ＬＡＮ（ＩＥＥＥ８０２.１１）、Ｂｌｕｅｔｏｏｔｈ（登録商標）、ＺｉｇＢｅｅ（登録商標）等の無線通信規格に従って外部の装置と通信する。
【００５５】
センサ２２は、赤外センサ（人感センサ）、温度センサ、照度センサ（明るさセンサ）等のセンサである。センサ２２は、煙を検知する煙センサであってもよいし、ガス漏れを検知するガスセンサであってもよい。また、センサ２２は、照明装置１０が設置された空間の広さを検知する空間センサであってもよい。空間センサは、例えば、超音波の反射波で空間の広さを検知する超音波センサであってもよい。
【００５６】
また、センサ２２は、照明装置１０の周囲にいる人の数を検知するセンサであってもよい。例えば、センサ２２は、携帯電話、スマートフォン等の通信端末から発せられるビーコン信号を検知するビーコンセンサであってもよい。この場合、センサ２２は、ビーコン信号に基づいて通信端末の数を判別し、判別した通信端末の数に基づいて照明装置１０の周囲にいる人の数を検知してもよい。多くのユーザは通信端末を有しているので、ビーコン信号に基づいて照明装置１０の周囲にいる人の数を検知可能である。なお、センサ２２は、通信端末の数を判別するにあたり、ビーコン信号の強度をその判別要素としてもよい。センサ２２は、照明装置１０の周囲の状態を検知し、制御部２３に通知する。
【００５７】
制御部２３は、モジュール２０の各部を制御するコントローラである。制御部２３は、ＣＰＵ、ＭＰＵ等のプロセッサであってもよいし、ＦＰＧＡ、ＡＳＩＣ等の集積回路であってもよい。制御部２３は、記憶部２４に格納されているプログラムに従って動作することで、各種処理を実現する。例えば、制御部２３は、接続端子２５及び接続端子１５６を介して照明装置１０の制御部１５２と通信する。なお、制御部２３は、照明装置１０の制御部１５２を介して、照明装置１０の各部を制御するよう構成されていてもよい。
【００５８】
記憶部２４は、ＤＲＡＭ、ＳＲＡＭ、フラッシュメモリ等の記憶装置である。記憶部２４には、制御部２３を動作させるプログラム等が格納されている。
【００５９】
接続端子２５は、照明装置１０の接続端子１５６に接続されるコネクタである。接続端子１５６がＵＳＢ端子なのであれば、接続端子２５もＵＳＢ端子である。接続端子２５が接続端子１５６に接続されることにより、照明装置１０の制御部１５２は、モジュール２０の制御部２３と通信可能となる。照明装置１０の制御部１５２は、モジュール２０を介して外部の装置と通信する。例えば、制御部１５２は、モジュール２０を介して、試験の履歴（ログ）を利用者が使用する端末装置へと送信する。
【００６０】
なお、照明装置１０の制御部１５２は、制御部２３から受け取ったセンサ２２の検知結果に基づいて、照明装置１０の各部を制御してもよい。例えば、センサ２２が人感センサであるとすれば、制御部１５２は、制御部２３から受け取った人の有無の検知結果に基づいて、光源１３の明るさを制御してもよい。制御部１５２を介して、制御部２３自身が光源１３の明るさを制御することも可能である。
【００６１】
［照明装置の動作］
次に、照明装置１０の動作を説明する。照明装置１０に電源が投入されると、照明装置１０の制御部１５２は発光制御処理を開始する。ここでいう“電源の投入”は、照明装置１０への外部電源２の投入であってもよいし、照明装置１０への電池１４のセットであってもよい。以下の説明では、照明装置１０は、発光制御処理の開始時、外部電源２から電力が供給されている状態（通常状態）にあるものとする。図１０は、発光制御処理のフローチャートである。発光制御処理は、センサ１５１ａ或いはセンサ２２からの信号に基づいて光源１３の発光状態を変化させる処理である。以下、図１０を参照しながら発光制御処理を説明する。
【００６２】
制御部１５２の発光制御部１５２ａは、光源１３を通常点灯させる（ステップＳ１１）。通常点灯とは、照明装置１０が通常状態（すなわち、外部電源２から電力が供給されている状態）にあるときの点灯である。発光制御部１５２ａは、例えば、予め決められた一定の光の強さで光源１３を発光させる。なお、照明装置１０が通常時に発光しないタイプの非常灯なのであれば、発光制御部１５２ａは光源１３を消灯させてもよい。
【００６３】
続いて、発光制御部１５２ａは、照明装置１０の電源が外部電源２から電池１４（非常用電源）に切り替わったか判別する。すなわち、発光制御部１５２ａは、照明装置１０が非常状態となったか判別する（ステップＳ１２）。照明装置１０が非常状態となっていない場合（ステップＳ１２：Ｎｏ）、発光制御部１５２ａは、ステップＳ１１に戻り、照明装置１０が非常状態となるまで、通常点灯を継続する。なお、照明装置１０が通常時に発光しないタイプの非常灯なのであれば、発光制御部１５２ａは消灯状態を継続させる。
【００６４】
照明装置１０が非常状態となっている場合（ステップＳ１２：Ｙｅｓ）、発光制御部１５２ａは、光源１３を非常点灯させる（ステップＳ１３）。非常点灯とは、照明装置１０が非常状態（すなわち、外部電源２からの電力が遮断されている状態）にあるときの点灯である。発光制御部１５２ａは、例えば、予め決められた基準（例えば、法令、規格）を満たす一定の光の強さで光源１３を発光させる。発光制御部１５２ａは、非常用電源（電池１４）の電力で光源１３を発光させる。なお、予め決められた基準を満たしているのであれば、光の強さは、通常点灯時より弱くてもよい。電池１４の電力を節約できるので、照明装置１０は非常時に長時間発光し続けることができる。
【００６５】
続いて、発光制御部１５２ａは、非常点灯を開始してから、予め決められた基準（法令、規格等）を満たす一定時間が経過したか判別する（ステップＳ１４）。一定時間は、法令、規格等の基準に基づいて照明装置１０の開発者等により予め設定された時間である。基準を満たすのであれば、一定時間は、照明装置１０の開発者或いはユーザが任意に設定した時間であってもよい。一定時間が経過していない場合（ステップＳ１４：Ｎｏ）、発光制御部１５２ａは、ステップＳ１３に戻り、一定時間が経過するまで、非常点灯を継続する。なお、非常点灯中に外部電源２からの電力供給が再開されたら、発光制御部１５２ａは、ステップＳ１１に戻り、通常点灯を実行してもよい。なお、照明装置１０が通常時に発光しないタイプの非常灯なのであれば、発光制御部１５２ａは光源１３を消灯させてもよい。
【００６６】
一定時間が経過している場合（ステップＳ１４：Ｙｅｓ）、発光制御部１５２ａは、光源１３の発光状態をステップＳ１４の状態から変更する（ステップＳ１５）。具体的には、発光制御部１５２ａは、センサ１５１ａ或いはセンサ２２からの信号に基づいて光源１３の発光状態を変化させる。
【００６７】
例えば、発光制御部１５２ａは、センサ２２からの信号に基づいて照明装置１０の周辺にいる人を検知し、検知した人の数に基づいて光源１３の光の強度を変化させてもよい。例えば、発光制御部１５２ａは、光源１３の光の強度を複数のレベルに分け、検知した人の数が予め設定した数より多い場合は、光源１３の光の強度を高いレベルに設定し、検知した人の数が予め設定した数より少ない場合は、光源１３の光の強度を低いレベルに設定する。なお、センサ２２はユーザが保持する通信端末から発せられるビーコン信号を検知するビーコンセンサであってもよい。発光制御部１５２ａは、ビーコン信号に基づいて照明装置１０の周辺にいる人の数を検知してもよい。
【００６８】
また、発光制御部１５２ａは、電池１４の蓄電状態（電池残量）に基づいて、光源１３の光の強度を変化させてもよい。例えば、発光制御部１５２ａは、センサ１５１ａからの信号に基づいて電池１４の蓄電状態を検知し、検知した蓄電状態に基づいて光源１３の光の強度を変化させてもよい。例えば、発光制御部１５２ａは、光源１３の光の強度を複数のレベルに分け、電池１４の蓄電量が予め設定した量より多い場合は、光源１３の光の強度を高いレベルに設定し、蓄電量の数が予め設定した量より少ない場合は、光源１３の光の強度を低いレベルに設定する。
【００６９】
続いて、発光制御部１５２ａは、照明装置１０の電源が電池１４から外部電源２に切り替わったか判別する。すなわち、発光制御部１５２ａは、外部電源２からの電力供給が再開されたか判別する（ステップＳ１６）。外部電源２からの電力供給が再開されていない場合（ステップＳ１６：Ｎｏ）、発光制御部１５２ａは、外部電源２からの電力供給が再開されるまで、ステップＳ１６の実行を繰り返す。なお、発光制御部１５２ａは、ステップＳ１６を実行する間も、センサ１５１ａ或いはセンサ２２からの信号に基づいて光源１３の発光状態を変化させてもよい。
【００７０】
外部電源２からの電力供給が再開されている場合（ステップＳ１６：Ｙｅｓ）、発光制御部１５２ａは、ステップＳ１１に戻り、通常点灯を実行する。なお、照明装置１０が通常時に発光しないタイプの非常灯なのであれば、発光制御部１５２ａは光源１３を消灯させてもよい。
【００７１】
本実施形態によれば、照明装置１０は、センサ１５１ａ或いはセンサ２２からの信号に基づいて光源１３の発光状態を変化させる発光制御部１５２ａを有している。そして、発光制御部１５２ａは、センサ２２からの信号に基づいて検知した人の数に基づいて、光源１３の光の強度を変化させている。照明装置１０は、人が多いときは強い光を発するので、照明装置１０は、効果的に避難或いは誘導を行うことができる。また、照明装置１０は、人の数が少ないときは発光量を抑えているので、より長時間発光し続けることができる。結果として、照明装置１０は、効果的に（すなわち長時間）避難或いは誘導を行うことができる。
【００７２】
また、発光制御部１５２ａは、センサ１５１ａからの信号に基づいて検知した電池１４の蓄電状態に基づいて、光源１３の光の強度を変化させている。また、照明装置１０は、電池１４の蓄電量が少ないときは発光量を抑えているので、より長時間発光し続けることができる。結果として、照明装置１０は、効果的に（すなわち長時間）避難或いは誘導を行うことができる。
【００７３】
また、発光制御部１５２ａは、光源１３を発光させる電源が外部電源２から電池１４となった後、予め設定された時間、一定の強さで光源を発光させ、その後、センサ１５１ａ或いはセンサ２２からの信号に基づいて光源１３の発光状態を変化させている。少なくとも照明装置１０は、法令、規格等で定められた規定の時間は、所定の発光をすることができる。
【００７４】
［変形例］
上述の実施形態は一例を示したものであり、種々の変更及び応用が可能である。
【００７５】
例えば、上述の実施形態では、照明装置１０は、非常用の照明装置（非常灯）であるものとしたが、照明装置１０は非常灯に限定されない。照明装置１０は、例えば、誘導用の照明装置であってもよい。誘導用の照明装置は、避難経路等への誘導のために常時点灯する照明装置である。また、照明装置１０は、非常灯及び誘導灯に限定されず、例えば、一般用途の照明装置（例えば、室内灯）であってもよい。このとき、発光制御部１５２ａは、非常時ではなく、通常時に光源１３の発光状態を変化させてもよい。照明装置１０が非常灯である場合も通常時に光源１３の発光状態を変化させてもよい。
【００７６】
また、上述の実施形態では電池１４は二次電池であるものとしたが、電池１４は二次電池に限られない。電池１４はリチウム電池等の一次電池であってもよい。電池１４は、マンガン乾電池、アルカリ乾電池等の乾電池であってもよい。
【００７７】
また、上述の実施形態では、モジュール２０は、無線通信モジュール或いはセンサモジュールであるものとしたが、モジュール２０は、これらのモジュールに限られない。モジュール２０は、例えば、電池１４の蓄電量が低下した場合にも照明装置１０の動作を可能とする補助用の二次電池を備えた、充電モジュールであってもよい。また、モジュール２０は、ＵＳＢメモリ等の記憶モジュールであってもよい。
【００７８】
また、上述の実施形態では、ビーコンセンサ等のセンサ機能はモジュール２０のセンサ２２が有するものとしたが、照明装置１０がセンサ２２に相当するセンサを内蔵していてもよい。このとき、照明装置１０が内蔵するセンサは、モジュール２０が備えるセンサ２２と同じ構成であってもよい。
【００７９】
また、上述の実施形態では、モジュール２０は、無線通信機能（通信部２１）とセンサ機能（センサ２２）の双方を持っているものとしたが、モジュール２０は、必ずしも無線通信機能とセンサ機能の双方を持っている必要はない。モジュール２０は、無線通信機能とセンサ機能のいずれか一方のみ有していてもよい。センサ機能を有していなくても、無線通信機能を有しているのであれば、モジュール２０は、無線通信モジュールと呼ぶことができる。また、無線通信機能を有していなくても、センサ機能を有しているのであれば、モジュール２０は、センサモジュールと呼ぶことができる。
【００８０】
また、上述の実施形態（ステップＳ１５）では、発光制御部１５２ａは、センサ２２で検知した人の数に基づいて、光源１３の光の強度を変化させた。しかし、発光制御部１５２ａは、照明装置１０が設置された空間の広さに基づいて、光源１３の光の強度を変化させてもよい。例えば、発光制御部１５２ａは、センサ２２からの信号に基づいて、照明装置１０が設置された空間の広さを検知し、検知した広さに基づいて、光源１３の光の強度を変化させてもよい。例えば、発光制御部１５２ａは、光源１３の光の強度を複数のレベルに分け、空間の広さが予め設定した体積より大きい場合（例えば、ビルのロビーの場合）には、光源１３の光の強度を高いレベルに設定し、空間の広さがした予め設定した体積より小さい場合（例えば、廊下の場合）には、光源１３の光の強度を低いレベルに設定する。このとき、センサ２２は、空間センサ（例えば、超音波の反射波で空間の広さを検知する超音波センサ）であってもよい。
【００８１】
また、上述の実施形態（ステップＳ１５）では、発光制御部１５２ａは、センサ１５１ａで検知した電池１４の蓄電状態に基づいて光源１３の光の強度を変化させた。しかし、発光制御部１５２ａは、センサ１５１ａで検知した電池１４の蓄電状態に基づいて光源１３の光の色を変化させてもよい。例えば、発光制御部１５２ａは、電池１４の蓄電量が予め設定した量より多い場合は、光源１３の光の色を第１の色にし、蓄電量の数が予め設定した量より少ない場合は、光源１３の光の色を第２の色に設定する。第１の色は例えば白色であてもよい。また、第２の色は、色は視感度が高い青色、或いは緑色であってもよい。例えば、第２の色は、波長５００ｎｍ〜６００ｎｍの光であってもよい。蓄電量が低下して光源１３の光の強さが低下しても、照明装置１０は、視感度が高い色を発することによって、より長時間、人に光を届けることができる。結果として、照明装置１０は、効果的に（すなわち長時間）避難或いは誘導を行うことができる。また、発光制御部１５２ａは、センサ２２からの信号に基づいて、光源１３の光の色を変化させてもよい。例えば、センサ２２が煙センサであるとすれば、発光制御部１５２ａは、センサ２２で煙を検知したときに、光源１３の光の色を変化させてもよい。このとき、発光制御部１５２ａは、ユーザが煙の中でも光を見やすくなるように、光源１３の光の色を波長の長い色としてもよい。例えば、発光制御部１５２ａは、センサ２２で煙を検知したときに、光源１３の光の色を赤色或いは黄色にしてもよい。望ましくは、センサ２２で煙を検知したときの光源１３の光の色は、フォグランプと同様に、黄色である。
【００８２】
また、上述の実施形態（ステップＳ１３、ステップＳ１４）では、発光制御部１５２ａは、光源１３を発光させる電源が外部電源２から電池１４となった後、予め設定された時間、一定の強さで光源を発光させ、その後、センサ１５１ａ或いはセンサ２２からの信号に基づいて光源１３の発光状態を変化させた。しかし、発光制御部１５２ａは、光源１３を発光させる電源が外部電源２から電池１４となった後、予め設定された時間、一定の強さで光源１３を発光させることなく、光源１３の発光状態を変化させてもよい。
【００８３】
また、上述の実施形態では、照明装置１０は、非常用或いは誘導用の光源を１つ備えるものとしたが、照明装置１０は、非常用或いは誘導用の光源を複数備えていてもよい。図１１は、非常用或いは誘導用の光源を２つ備える照明装置１０Ａの底面図である。照明装置１０Ａは、光源１３（第１の光源）と、光源１８（第２の光源）と、を備える。光源１３及び光源１８は、非常用或いは誘導用の光源であり、モニタ用のランプ（例えば、ランプ１５５ａ、１５５ｂ）とは異なる。蓋１６には、光源１８用の窓として貫通孔１６４が設けられている。照明装置１０Ａのその他の構成は、照明装置１０と同じである。
【００８４】
なお、この場合、発光制御部１５２ａは、光源１３（第１の光源）をステップＳ１３で説明したように一定の強度で発光させてもよい。さらに、発光制御部１５２ａは、光源１８（第２の光源）の発光状態をステップＳ１５で説明したように変化させてもよい。このとき、発光制御部１５２ａは、光源１８（第２の光源）を点滅させてもよい。光源１３（第１の光源）で法令等の基準を満たしつつ、光源１８（第２の光源）で効果的な発光を行うことができる。結果として、照明装置１０Ａは、効果的に避難或いは誘導を行うことができる。
【００８５】
また、上述の実施形態では、制御部１５２が、発光制御処理を行ったが、これらの処理はモジュール２０の制御部２３が行ってもよい。このとき、制御部２３は、機能ブロックとして、発光制御部を有していてもよい。制御部２３が有する発光制御部の構成は、制御部１５２の発光制御部１５２ａと同じであってもよい。照明装置１０に後付けで、本実施形態で説明した発光制御機能を容易に追加できる。
【００８６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれる。
【符号の説明】
【００８７】
１０、１０Ａ…照明装置
１１…接続部
１２…筐体
１３、１８…光源
１３１…反射板
１４…電池
１５…点灯ユニット
１５１…電源回路
１５１ａ、２２…センサ
１５２、２３…制御部
１５２ａ…発光制御部
１５３、２４…記憶部
１５４…操作部
１５５…出力部
１５５ａ、１５５ｂ…ランプ
１５６、２５…接続端子
１６…蓋
１６１、１６２、１６３、１６４…貫通孔
１７１、１７２…取付けばね
２０…モジュール
２１…通信部
２…外部電源
【図１】
2018163866.tif 000003
【図２】
2018163866.tif 000004
【図３】
2018163866.tif 000005
【図４】
2018163866.tif 000006
【図５】
2018163866.tif 000007
【図６】
2018163866.tif 000008
【図７】
2018163866.tif 000009
【図８】
2018163866.tif 000010
【図９】
2018163866.tif 000011
【図１０】
2018163866.tif 000012
【図１１】
2018163866.tif 000013